(57)【要約】【課題】ノイズの影響を低減できるアンテナ付きタッチパッドを提供する。【解決手段】所定の操作領域を有する操作面１１が上側に設定される基板２０と、基板２０の操作領域１１ａと対応する領域に配置された容量検出用電極群と、基板２０の下側であって、上面視で容量検出用電極群が形成された電極形成領域と重なる領域に配置された、無線通信用のアンテナ２８と、容量検出用電極群の下側であってアンテナ２８の上側となる位置に、上面視で電極形成領域の全域と重なるように配置された、導電材料からなる接地電極２７と、を備えたアンテナ付きタッチパッド１であって、容量検出用電極群は、所定の第１方向に沿って延設される第１電極群２５と、第１方向と直交する第２方向に沿って延設される第２電極群２６と、を有し、接地電極２７は、第１電極群２５または第２電極群２６のいずれかと同一方向にスリット２７ａを有し、スリット２７ａは、第１電極群２５または第２電極群２６のいずれかの電極間に対応するように位置する。【選択図】図１
2018081573.tif 000002
【特許請求の範囲】
【請求項１】
所定の操作領域を有する操作面が上側に設定される基板と、
前記基板の前記操作領域と対応する領域に配置された容量検出用電極群と、
前記基板の下側であって、上面視で前記容量検出用電極群が形成された電極形成領域と重なる領域に配置された、無線通信用のアンテナと、
前記容量検出用電極群の下側であって前記アンテナの上側となる位置に、上面視で前記電極形成領域の全域と重なるように配置された、導電材料からなる接地電極と、
を備えたアンテナ付きタッチパッドであって、
前記容量検出用電極群は、
所定の第１方向に沿って延設される第１電極群と、
前記第１方向と直交する第２方向に沿って延設される第２電極群と、
を有し、
前記接地電極は、前記第１電極群または前記第２電極群のいずれかと同一方向にスリットを有し、
前記スリットは、前記第１電極群または前記第２電極群のいずれかの電極間に対応するように位置することを特徴とするアンテナ付きタッチパッド。
【請求項２】
前記第１電極群または前記第２電極群のいずれかは櫛歯形状であり、前記櫛歯形状の開口部は、前記第１電極群または前記第２電極群のいずれかに電源を与える電源供給配線とは逆側に設けてある、請求項１に記載のアンテナ付きタッチパッド。
【請求項３】
前記第１電極群または前記第２電極群のいずれかは櫛歯形状であり、前記櫛歯形状の開口部は、前記第１電極群または前記第２電極群のいずれかにおいて検出された信号を外部に伝える信号検出配線とは逆側に設けてある、請求項１に記載のアンテナ付きタッチパッド。
【請求項４】
前記接地電極は前記スリットにより形成される櫛歯形状を有し、前記接地電極の櫛歯形状は、前記第１電極群または前記第２電極群の櫛歯形状と上面視で重なるように配置される、請求項２または３に記載のアンテナ付きタッチパッド。
【発明の詳細な説明】
【技術分野】
【０００１】
本発明は、アンテナ付きタッチパッドに関し、特に、無線通信用のアンテナを備えたアンテナ付きタッチパッドに関する。
【背景技術】
【０００２】
操作面に接触または近接する操作体の位置を検出可能なタッチパッドが普及し、ノートパソコン等の電子機器の画面のカーソル移動用として使用されている。タッチパッドは、ノートパソコン等の電子機器の本体を覆う筐体の所定の位置（パームレスト等）に形成された開口部に取り付けられて使用される。
【０００３】
タッチパッドが取り付けられる開口部は、電子機器側の通信回路が生成した無線信号（電磁波信号）を電子機器の外部に放射するためにも利用される。そして、近年、このような通信回路と接続された無線通信用のアンテナをタッチパッドと一体化した、アンテナ付きタッチパッドが実用化されている。
【０００４】
従来のアンテナ付きタッチパッドとしては、所定の操作領域を有する操作面が上側に設定される基板と、前記基板の前記操作領域と対応する領域に配置された容量検出用電極群と、前記基板の下側であって、上面視で前記容量検出用電極群が形成された電極形成領域と重なる領域に配置された、無線通信用のアンテナと、を備えたアンテナ付きタッチパッドであって、前記容量検出用電極群は、所定の第１方向に沿って延設される第１電極群と、前記第１方向と直交する第２方向に沿って延設される第２電極群と、を有し、前記アンテナは、前記第１方向及び前記第２方向と交差する方向に延設されていることを特徴とするアンテナ付きタッチパッドが特許文献１に開示されている。
【先行技術文献】
【特許文献】
【０００５】
【特許文献１】特開２０１５−１３００６４号公報
【発明の概要】
【発明が解決しようとする課題】
【０００６】
本発明者らがアンテナ付きタッチパッドにおけるノイズの影響を低減する手段についてさらに検討した結果、文献１に記載されるような、容量検出用電極群の形状（延設方向）とアンテナ形状との関係以外にも、ノイズの発生に影響を与える因子が存在することが明らかになった。
【０００７】
本発明は、アンテナ付きタッチパッドを構成する複数の要素における形状の関係を制御して、ノイズの影響を低減できるアンテナ付きタッチパッドを提供することを目的とする。
【課題を解決するための手段】
【０００８】
上記の課題を解決するために提供される本発明は、一態様において、所定の操作領域を有する操作面が上側に設定される基板と、前記基板の前記操作領域と対応する領域に配置された容量検出用電極群と、前記基板の下側であって、上面視で前記容量検出用電極群が形成された電極形成領域と重なる領域に配置された、無線通信用のアンテナと、前記容量検出用電極群の下側であって前記アンテナの上側となる位置に、上面視で前記電極形成領域の全域と重なるように配置された、導電材料からなる接地電極と、を備えたアンテナ付きタッチパッドであって、前記容量検出用電極群は、所定の第１方向に沿って延設される第１電極群と、前記第１方向と直交する第２方向に沿って延設される第２電極群と、を有し、前記接地電極は、前記第１電極群または前記第２電極群のいずれかと同一方向にスリットを有し、前記スリットは、前記第１電極群または前記第２電極群のいずれかの電極間に対応するように位置することを特徴とするアンテナ付きタッチパッドである。
【０００９】
文献１に記載されるように、容量検出用電極群の延設方向（第１方向および第２方向）と交差するようにアンテナの延設方向を設定することにより、ノイズの影響を低減させて検出感度を向上させることができるが、ノイズの発生源をさらに検討したところ、容量検出用電極群（第１電極群、第２電極群）と接地電極とが静電容量結合して閉ループが形成されることが明らかになった。第１方向または第２方向に延設される容量検出用電極の２本を電気的に接続するように接地電極が静電容量結合して閉ループを形成すると、形成された閉ループがアンテナと磁界結合し、アンテナからの磁界がノイズとなって、タッチパッドとしての検出感度の低下をもたらす。
【００１０】
そこで、上記の本発明の一態様に係るアンテナ付きタッチパッドでは、第１方向または第２方向のいずれか一方に延設される容量検出用電極と接地電極とが静電容量結合した場合でも閉ループが形成されないように、接地電極には、第１電極群または第２電極群のいずれか一方と同一方向にスリットを設けてある。
【００１１】
したがって、上記の本発明の一態様に係るアンテナ付きタッチパッドでは、アンテナと磁気結合する閉ループが容量検出用電極に形成されにくくなるため、ノイズの影響が低減される。
【００１２】
上記のアンテナ付きタッチパッドにおいて、前記第１電極群または前記第２電極群のいずれかは櫛歯形状であり、前記櫛歯形状の開口部は、前記第１電極群または前記第２電極群のいずれかに電源を与える電源供給配線とは逆側に設けてあってもよい。この場合には、同じ方向に並ぶ２つの容量検出用電極と接地電極と電源供給配線とが静電容量結合によって電気的に接続して閉ループが形成される可能性が低減される。
【００１３】
上記のアンテナ付きタッチパッドにおいて、前記第１電極群または前記第２電極群のいずれかは櫛歯形状であり、前記櫛歯形状の開口部は、前記第１電極群または前記第２電極群のいずれかにおいて検出された信号を外部に伝える信号検出配線とは逆側に設けてあってもよい。この場合には、同じ方向に並ぶ２つの容量検出用電極と接地電極と信号検出配線とが静電容量結合によって電気的に接続して閉ループが形成される可能性が低減される。
【００１４】
上記の第１電極群または前記第２電極群が櫛歯形状であるアンテナ付きタッチパッドにおいて、前記接地電極は前記スリットにより形成される櫛歯形状を有し、前記接地電極の櫛歯形状は、前記第１電極群または前記第２電極群の櫛歯形状と上面視で重なるように配置されることが好ましい。このように、設置電極が櫛歯形状を有していることにより、同じ方向に並ぶ２つの容量検出用電極と接地電極とが静電容量結合によって電気的に接続する可能性がより安定的に低減される。
【発明の効果】
【００１５】
本発明によれば、本発明によれば、アンテナによるノイズの影響を低減できるアンテナ付きタッチパッドを提供することができる。
【図面の簡単な説明】
【００１６】
【図１】本発明の第１実施形態に係るタッチパッド１の構成を示す説明図である。
【図２】図１に示すタッチパッド１の使用例を示す説明図である。
【図３】図１に示すタッチパッド１の分解斜視図である。
【図４】図１に示す基板２０の電極形状を示す第１の説明図である。
【図５】図１に示す基板２０の電極形状を示す第２の説明図である。
【図６】対比用接地電極２７ｄを用いた場合の現象を説明する平面図である。
【図７】図１に示すタッチパッド１が備える接地電極２７の機能の説明図である。
【図８】本発明の第２実施形態に係るタッチパッド１０１の分解斜視図である。
【図９】図８に示す基板１２０の接地電極２７ｆの形状を示す説明図である。
【図１０】図８に示すタッチパッド１０１が備える接地電極２７の機能の説明図である。
【発明を実施するための形態】
【００１７】
［第１実施形態］
以下、本発明の第１実施形態について図面を参照しながら説明する。尚、各図において、Ｘ１方向を左方向、Ｘ２方向を右方向、Ｙ１方向を前方、Ｙ２方向を後方、Ｚ１方向を上方、Ｚ２方向を下方として、説明を進める。
【００１８】
まず、本発明の第１実施形態に係るタッチパッド１（アンテナ付きタッチパッド）の構成について、図１ないし図５を用いて説明する。図１は、本発明の第１実施形態に係るタッチパッド１の構成を示す説明図である。図２は、図１に示すタッチパッド１の使用例を示す説明図である。図３は、図１に示すタッチパッド１の分解斜視図である。図４は、図１に示す基板２０の電極形状を示す第１の説明図である。図４（ａ）は、第１電極群２５の電極形状を示す説明図であり、図４（ｂ）は、第２電極群２６の電極形状を示す説明図である。図５は、図１に示す基板２０の電極形状を示す第２の説明図である。図５（ａ）は、接地電極２７の電極形状を示す説明図であり、図５（ｂ）は、アンテナ２８の電極形状を示す説明図である。
【００１９】
タッチパッド１は、静電容量方式と呼ばれる方式のタッチパッドである。タッチパッド１は、図１に示すように、上側に操作面１１を有する操作板１０と、操作板１０の下側に配置された基板２０と、を備えている。そして、タッチパッド１は、操作面１１に接触または近接する指先等の操作体の位置を検出できるようになっている。このようなタッチパッド１は、図２に示すように、ノートパソコン等の電子機器５０の、筐体５１の所定の位置（パームレスト等）に、操作面１１が露出するように取り付けられ、画面のカーソル移動等に利用される。
【００２０】
操作板１０は、合成樹脂でできた板状の部材であり、上下に略長方形の板面を有している。図３に示すように、操作板１０の上面が操作面１１となっており、操作面１１の所定の領域が操作領域１１ａとなっている。本実施形態では、操作領域１１ａは、操作面１１上の第１方向と、第１方向と直交する第２方向と、に沿った辺を有する正方形の領域となっている。図３に示すように、第１方向は左右方向であり、第２方向は前後方向である。
【００２１】
基板２０は、合成樹脂でできた多層基板であり、上下に略長方形の板面を有している。基板２０は、図３に示すように、第１電極形成層２１と第２電極形成層２２と接地電極形成層２３とアンテナ形成層２４とからなる４つの電極形成層を有している。第１電極形成層２１と第２電極形成層２２と接地電極形成層２３とアンテナ形成層２４とには、銅等の導電材料からなる所定の電極が形成されている。
【００２２】
第１電極形成層２１と第２電極形成層２２と接地電極形成層２３とアンテナ形成層２４とは、上から、第１電極形成層２１、第２電極形成層２２、接地電極形成層２３、アンテナ形成層２４の順に、図示しない絶縁層を挟んで積層されている。そして、第１電極形成層２１が基板２０の上面となり、アンテナ形成層２４が基板２０の下面となっている。第１電極形成層２１の上側とアンテナ形成層２４の下側とは、図示しない絶縁性の被膜に覆われている。
【００２３】
基板２０の第１電極形成層２１には、第１の容量検出用電極群である第１電極群２５が形成されている。第１電極群２５は、上面視で操作領域１１ａと重なる正方形の領域である第１電極形成領域２１ａの内側に形成されている。第１電極群２５は、複数の第１電極２５ａで構成されている。第１電極２５ａは、図４（ａ）に示すように、第１方向に沿って延設された略長方形の電極である。複数の第１電極２５ａは、第２方向に沿って等間隔に並べて配置されている。尚、本実施形態では、第１電極群２５の第１電極２５ａは、検出電極として使用される。この検出電極において検出された信号を制御部（図示せず。）に伝えるために、複数の第１電極２５ａのＸ１−Ｘ２方向（第１方向）Ｘ２側には信号検出配線２５ｂが設けられている。したがって、複数の第１電極２５ａおよび信号検出配線２５ｂからなる第１電極群２５は櫛歯形状を有する。
【００２４】
基板２０の第２電極形成層２２には、第２の容量検出用電極群である第２電極群２６が形成されている。第２電極群２６は、上面視で操作領域１１ａと重なる正方形の領域である第２電極形成領域２２ａの内側に形成されている。第２電極群２６は、複数の第２電極２６ａで構成されている。第２電極２６ａは、図４（ｂ）に示すように、第２方向に沿って延設された略長方形の電極である。複数の第２電極２６ａは、第１方向に沿って等間隔に並べて配置されている。尚、本実施形態では、第２電極群２６の第２電極２６ａは駆動電極として使用され、第２電極２６ａには駆動用の電気信号が印加される。この駆動用の電気信号を印加するために、複数の第２電極２６ａのＹ１−Ｙ２方向（第２方向）Ｙ１側には電源供給配線２６ｂが設けられている。したがって、複数の第２電極２６ａおよび電源供給配線２６ｂからなる第２電極群２６は櫛歯形状を有する。
【００２５】
第１電極群２５の第１電極２５ａと第２電極群２６の第２電極２６ａとは、上面視で互いに交差するように配置されている。そして、第１電極２５ａと第２電極２６ａとは、互いに交差する位置の付近で静電容量を形成している。そして、第１電極２５ａと第２電極２６ａとの間の静電容量によって、第１電極２５ａに印加された駆動用の電気信号が、第１電極２５ａから第２電極２６ａに伝達される。タッチパッド１では、このようにして第１電極２５ａから第２電極２６ａに伝達される電気信号の変化に基づいて、第１電極２５ａと第２電極２６ａとの間の静電容量の変化を検出できるようになっている。
【００２６】
基板２０の接地電極形成層２３には、接地電極２７が形成されている。接地電極２７は、上面視で第１電極形成領域２１ａおよび第２電極形成領域２２ａの全域と重なる正方形の領域である接地電極形成領域２３ａの内側に形成されている。
【００２７】
接地電極２７は、図５（ａ）に示すように、接地電極形成領域２３ａの全域を覆う正方形の電極に複数のスリット２７ａを加えて形成される。複数のスリット２７ａのそれぞれは、第２方向に沿って延設された略長方形の形状を有し、Ｙ１−Ｙ２方向（第２方向）Ｙ２側に開口を有する。そして、複数のスリット２７ａは、第１方向に等間隔に並ぶように位置している。接地電極２７は、スリット２７ａによって複数の接地電極パターン２７ｂに分割されている。複数の接地電極パターン２７ｂのそれぞれはＹ１−Ｙ２方向（第２方向）に沿って延設された略長方形の形状を有し、Ｙ１−Ｙ２方向（第２方向）Ｙ１側端部に位置する連結部２７ｃによって連結されている。したがって、複数の接地電極パターン２７ｂおよび連結部２７ｃからなる接地電極２７は櫛歯形状を有する。
【００２８】
基板２０のアンテナ形成層２４には、無線通信用のアンテナ２８となる電極パターンが形成されている。以下、無線通信用のアンテナ２８となる電極パターンのことをアンテナ２８と略称する。アンテナ２８は、上面視で第１電極形成領域２１ａおよび第２電極形成領域２２ａと重なる正方形の領域であるアンテナ形成領域２４ａの内側に形成されている。
【００２９】
アンテナ２８は、図５（ｂ）に示すように、アンテナ形成領域２４ａと中心を共有する円の外周に沿って巻き回されたコイル（スパイラルコイル）状のアンテナである。アンテナ２８の２つの端部は、回路と接続される端子部２８ａとなっている。
【００３０】
アンテナ形成層２４の、アンテナ形成領域２４ａの左側の領域と右側の領域とは、所定の回路が形成される回路形成領域２４ｂとなっている。回路形成領域２４ｂには、図示しない各種の電子部品が実装されて、操作面１１に接触または近接する操作体の位置を検出するための検出回路３０や、無線通信のための通信回路４０等が形成される。
【００３１】
検出回路３０は、図示しない配線用の電極等を介して、前述した第１電極群２５と第２電極群２６とに接続されている。検出回路３０は、第１電極群２５の第１電極２５ａに駆動用の電気信号を印加すると共に、第２電極群２６の第２電極２６ａに伝達される電気信号を検出し、第１電極２５ａから第２電極２６ａに伝達される電気信号の変化に基づいて、第１電極２５ａと第２電極２６ａとの間の静電容量の変化を検出している。そして、検出回路３０は、第１電極群２５と第２電極群２６とを用いて検出した静電容量の変化に基づいてタッチパッド１の操作面１１に接触または近接する操作体の位置を検出している。尚、このような検出回路３０の回路構成等は公知なので、詳細な説明は省略する。
【００３２】
通信回路４０は、近距離無線通信の規格に対応した通信回路である。通信回路４０は、図示しない配線用の電極を介して、アンテナ２８の端子部２８ａと接続されている。そして、通信回路４０は、アンテナ２８の端子部２８ａに無線通信用の電気信号が印加している。尚、このような通信回路４０の回路構成は公知なので、詳細な説明は省略する。
【００３３】
基板２０は、以上に述べたような構成を有している。そして、このような基板２０の上側に、粘着剤等によって操作板１０が貼り付けられる。その結果、所定の操作領域１１ａを有する操作面１１が基板２０の上側に設定される。
【００３４】
以下、図６および図７を用いて、タッチパッド１におけるノイズ低減機構について説明する。図６は、対比用接地電極２７ｄを用いた場合の現象を説明する平面図である。図７は、本発明の第１実施形態に係るタッチパッド１が備える接地電極２７の機能の説明図である。図７では、煩雑さを回避する観点から、一部の要素（第２電極２６ａなど）について符号の表示を省略している。
【００３５】
図６に破線で示されるように、櫛歯形状を有する接地電極２７に代えて、中央部に斜め十字のスリット２７ｅを設けられた対比用接地電極２７ｄを用いた場合には、第１方向両端に位置する２つの第２電極２６ａと対比用接地電極２７ｄとの間で静電容量結合ＥＳＣが生じ、電源供給配線２６ｂ→第２電極２６ａ→（静電容量結合ＥＳＣ）→対比用接地電極２７ｄ→（静電容量結合ＥＳＣ）→第２電極２６ａ→電源供給配線２６ｂの経路からなる閉ループＣＬが形成されうる。このような閉ループＣＬが形成されると、閉ループＣＬがアンテナ２８と磁界結合して、アンテナ２８からの磁界が閉ループＣＬ内に伝達される。この磁界は第２電極群２６のノイズとなって、タッチパッド１としての検出感度の低下をもたらす。
【００３６】
これに対し、図７に示されるように、本発明の第１実施形態に係るタッチパッド１では、上面視で、接地電極２７の櫛歯形状が第２電極群２６の櫛歯形状に重なるように配置されている。すなわち、接地電極２７において、複数の第２電極２６ａの電極間に対応するように、複数のスリット２７ａは位置している。このため、図７に示されるように、Ｘ１−Ｘ２方向（第１方向）Ｘ１側の端部に位置する第２電極２６ａに電源供給配線２６ｂから供給された電気信号が、その第２電極２６ａのＹ１−Ｙ２方向（第２方向）Ｙ２側の端部において、接地電極２７と静電容量結合ＥＳＣが生じた場合であっても、接地電極２７にはＹ１−Ｙ２方向（第２方向）に延設されたスリット２７ａが存在するため、接地電極２７のＹ１−Ｙ２方向（第２方向）側ではＸ１−Ｘ２方向（第１方向）Ｘ１側へと信号は伝達できない。このため、図６に示される対比用接地電極２７ｄを用いた場合のような閉ループは形成されない。
【００３７】
すなわち、本発明の第１実施形態に係るタッチパッド１では、接地電極２７に設けられたスリット２７ａの形状を適正化することにより、第２電極群２６に閉ループが形成されにくくなり、アンテナ２８からの磁界がノイズとして伝わりにくい。
【００３８】
また、上記のように、第２電極群２６の櫛歯形状と接地電極２７の櫛歯形状とは上面視で重なるように配置されているため、第２電極群２６および接地電極２７のいずれについても、櫛歯形状の先端側（Ｙ１−Ｙ２方向Ｙ２側）において電磁的な相互作用が生じにくい。したがって、第２電極群２６に閉ループの形成がより安定的に回避され、アンテナ２８からの磁界がノイズとして第２電極群２６に特に伝わりにくい。
【００３９】
［第２実施形態］
以下、本発明の第２実施形態について図面を参照しながら説明する。尚、本実施形態において、前述した第１実施形態と同一の構成である場合、同一符号を付して詳細な説明は省略する。
【００４０】
図８は、本発明の第２実施形態に係るタッチパッド１０１の分解斜視図である。図９は、図８に示す基板１２０の接地電極２７ｆの形状を示す説明図である。図１０は、図８に示すタッチパッド１０１が備える接地電極２７の機能の説明図である。
【００４１】
図８に示されるように、タッチパッド１０１は、第１実施形態に係るタッチパッド１と同様の構造をしているが、タッチパッド１の基板２０に対応する基板１２０の接地電極形成層２３上に形成される接地電極２７ｆの形状が相違している。
【００４２】
図９に示されるように、第２実施形態に係るタッチパッド１０１の接地電極２７ｆの形状は、第１実施形態に係るタッチパッド１における接地電極２７が反時計回りに９０度回転した形状を有している。すなわち、接地電極形成領域２３ａの全域を覆う正方形の電極に複数のスリット２７ｇを加えて形成される。複数のスリット２７ｇのそれぞれは、第１方向に沿って延設された略長方形の形状を有し、Ｘ１−Ｘ２方向（第１方向）Ｘ１側に開口を有する。そして、複数のスリット２７ｇは、第１方向に等間隔に並ぶように位置している。接地電極２７ｆは、スリット２７ｇによって複数の接地電極パターン２７ｈに分割されている。複数の接地電極パターン２７ｈのそれぞれはＸ１−Ｘ２方向（第１方向）に沿って延設された略長方形の形状を有し、Ｘ１−Ｘ２方向（第１方向）Ｘ２側端部に位置する連結部２７ｉによって連結されている。したがって、複数の接地電極パターン２７ｈおよび連結部２７ｉからなる接地電極２７ｆは櫛歯形状を有する。
【００４３】
図１０に示されるように、本発明の第２実施形態に係るタッチパッド１０１では、上面視で、接地電極２７ｆの櫛歯形状が第１電極群２５の櫛歯形状に重なるように配置されている。すなわち、接地電極２７ｆにおいて、複数の第１電極２５ａの電極間に対応するように、複数のスリット２７ｇは位置している。ここで、図１０に示されるように、Ｙ１−Ｙ２方向（第２方向）Ｙ１側の端部に位置する第１電極２５ａにおいて、Ｘ１−Ｘ２方向（第１方向）Ｘ１側の検出位置ＤＰにおいて検出された信号は、通常、Ｘ１−Ｘ２方向（第１方向）Ｘ２側に伝搬して、信号検出配線２５ｂへと至る。しかしながら、検出信号に係る電荷量が多い場合には、図１０に示されるように、静電容量結合ＥＳＣが生じて、接地電極２７ｆに信号が伝達されることがある。このようなときでも、図１０に示されるように、スリット２７ｇが存在するため、接地電極２７ｆに至った信号はＹ１−Ｙ２方向（第２方向）Ｙ２側に伝搬することができない。したがって、図６に示されるような閉ループは形成されない。
【００４４】
すなわち、本発明の第２実施形態に係るタッチパッド１０１では、接地電極２７ｆに設けられたスリット２７ｇの形状を適正化することにより、第１電極群２５に閉ループが形成されにくくなり、アンテナ２８からの磁界がノイズとして伝わりにくい。
【００４５】
また、上記のように、第１電極群２５の櫛歯形状と接地電極２７ｆの櫛歯形状とは上面視で重なるように配置されているため、第１電極群２５および接地電極２７ｆのいずれについても、櫛歯形状の先端側（Ｘ１−Ｘ２方向Ｘ１側）において電磁的な相互作用が生じにくい。したがって、第１電極群２５に閉ループの形成がより安定的に回避され、アンテナ２８からの磁界がノイズとして第１電極群２５に特に伝わりにくい。
【００４６】
以上、本発明の実施形態について説明してきたが、本発明は上記の実施形態に限定されず、本発明の目的の範囲を逸脱しない限りにおいて適宜変更することができる。
【００４７】
例えば、本発明の実施形態において、タッチパッド１（またはタッチパッド１０１）が取り付けられる電子機器は、ノートパソコン以外の機器であっても構わない。例えば、タッチパッド１（またはタッチパッド１０１）は、ゲーム機や車載ナビゲーション装置等の入力装置として使用されても構わない。
【００４８】
また、本発明の実施形態において、タッチパッド１（またはタッチパッド１０１）は、前述した部材以外の部材を備えていても構わない。例えば、タッチパッド１（またはタッチパッド１０１）は、自身を揺動可能に電子機器に支持するための支持部材を備えていても構わない。そして、基板２０（または基板１２０）の下面には、タッチパッド１（またはタッチパッド１０１）の揺動動作を検出するためのプッシュスイッチ等が取り付けられていても構わない。また、タッチパッド１（またはタッチパッド１０１）は、自身を電子機器５０の筐体に取り付けるための取り付け構造を備えていても構わない。
【００４９】
また、本発明の実施形態において、操作領域１１ａは、前述した以外の形状であっても構わない。例えば、操作領域１１ａは長方形であってもよい。操作領域１１ａが正方形など矩形である場合においてその角の部分は、円弧状となっていても構わない。また、操作面１１に接触または近接する操作体の位置を所定の精度で検出できるのであれば、操作領域１１ａは、円形や楕円形の領域であっても構わない。
【００５０】
また、本発明の実施形態において、基板２０（または基板１２０）は、回路形成領域２４ｂを有しておらず、タッチパッド１（またはタッチパッド１０１）は、検出回路３０や通信回路４０を備えていなくても構わない。そして、第１電極群２５と第２電極群２６とは、例えば電子機器５０の本体側に形成された検出回路や通信回路に配線等を介して接続されていても構わない。
【００５１】
また、本発明の実施形態において、第１電極群２５の第１電極２５ａと第２電極群２６の第２電極２６ａとは、長方形以外の形状であっても構わない。例えば、第１電極２５ａは、互いに連結された複数のひし形の電極を第１方向に沿って並べて配置したような電極であっても構わない。また、第２電極２６ａは、互いに連結された複数のひし形の電極を第２方向に沿って並べて配置したような電極であっても構わない。
【００５２】
また、本発明の実施形態では、第１電極群２５の第１電極２５ａを検出電極として使用し、第２電極群２６の第２電極２６ａを駆動電極として使用したが、第２電極２６ａを検出電極として使用し、第１電極２５ａを駆動電極として使用しても構わない。また、検出のタイミングによって、第１電極２５ａを駆動電極として使用し、第２電極２６ａを検出電極として使用する状態と、第２電極２６ａを駆動電極として使用し、第１電極２５ａを検出電極として使用する状態と、を交互に切り替えても構わない。また、タッチパッド１（またはタッチパッド１０１）は、第１電極２５ａや第２電極２６ａ以外に検出電極となる電極を備え、第１電極２５ａと第２電極２６ａとをいずれも駆動電極として使用しても構わない。
【００５３】
また、本発明の実施形態において、アンテナ２８は、前述した以外の形状であっても構わない。例えば、所定の通信機能を実現できるのであれば、アンテナ２８は、第１方向および第２方向と交差する方向に沿って延設された直線状のアンテナであっても構わない。また、アンテナ２８は、第１方向および第２方向と交差する方向に沿った辺を有するひし形の外形に沿って巻き回されたコイル（スパイラルコイル）状のアンテナであっても構わない。
【００５４】
また、本発明の実施形態において、アンテナ２８は、基板２０（または基板１２０）とは別体のシート状の部材に形成された後に、基板２０（または基板１２０）の下側に配置されても構わない。また、アンテナ２８の下側に、電子機器５０の本体への磁界の影響を抑制するための磁性シートや、タッチパッド１（またはタッチパッド１０１）を下側から支持するための支持板等が配置されていても構わない。
【符号の説明】
【００５５】
１  タッチパッド
１０  操作板
１１  操作面
１１ａ  操作領域
２０  基板
２１  第１電極形成層
２１ａ  第１電極形成領域
２２  第２電極形成層
２２ａ  第２電極形成領域
２３  接地電極形成層
２３ａ  接地電極形成領域
２４  アンテナ形成層
２４ａ  アンテナ形成領域
２４ｂ  回路形成領域
２５  第１電極群
２５ａ  第１電極
２５ｂ  信号検出配線
２６  第２電極群
２６ａ  第２電極
２６ｂ  電源供給配線
２７  接地電極
２７ａ  スリット
２７ｂ  接地電極パターン
２７ｃ  連結部
２７ｄ  対比用接地電極
２７ｅ  スリット
２８  アンテナ
２８ａ  端子部
３０  検出回路
４０  通信回路
５０  電子機器
５１  筐体
１０１  タッチパッド
１２０  基板
２７ｆ  接地電極
２７ｇ  スリット
２７ｈ  接地電極パターン
２７ｉ  連結部
ＥＳＣ  静電容量結合
ＣＬ  閉ループ
ＤＰ  検出位置
【図１】
2018081573.tif 000003
【図２】
2018081573.tif 000004
【図３】
2018081573.tif 000005
【図４】
2018081573.tif 000006
【図５】
2018081573.tif 000007
【図６】
2018081573.tif 000008
【図７】
2018081573.tif 000009
【図８】
2018081573.tif 000010
【図９】
2018081573.tif 000011
【図１０】
2018081573.tif 000012